(57)【要約】      （修正有）【課題】異なる脚長のステープルに適用することができ、かつ拙劣な装丁の発生を有効に減少することができる可動ステープル押圧機構付きステープラーを提供する。【解決手段】ステープラーはベース１０、マガジンアセンブリ２０、アームアセンブリ３０及びステープル押圧機構４０を有する。マガジンアセンブリはベース上に枢着され、マガジン２１を有している。アームアセンブリはベースに枢着され、マガジンアセンブリ上に配置され、トリガーレバー３１及びステープル押圧タブ３２を有している。ステープル押圧機構はマガジンアセンブリ及びアームアセンブリの間に装着され、ステープル押圧ベース４１、トリガー弾性ユニット４２及び復旧弾性ユニット４３を有している。復旧弾性ユニットはアームアセンブリ及びマガジンアセンブリの間に装着されてステープル押圧ベースのための復旧弾性力を提供する。【選択図】図２
0003207060.tif 000002
【実用新案登録請求の範囲】
【請求項１】
ベースと、
前記ベース上に枢着され、マガジンを備えているマガジンアセンブリと、
前記ベース上に枢着され、前記マガジンアセンブリの上方に配置されるアームアセンブリとを備え、前記アームアセンブリは、
トリガーレバーと、
前記トリガーレバーに組み合わされるステープル押圧タブとを備え、
前記マガジンアセンブリ及び前記アームアセンブリの間に装着されるステープル押圧機構を備え、前記ステープル押圧機構は、
前記ベース上に枢着され、前記マガジン内に配置されるステープル押圧ベースと、
前記トリガーレバー及び前記ステープル押圧ベースの間に装着されるトリガー弾性ユニットと、
前記アームアセンブリ及び前記マガジンアセンブリの間に装着され、前記ステープル押圧ベースのための復旧弾性力を提供する復旧弾性ユニットとを備えることを特徴とする可動ステープル押圧機構付きステープラー。
【請求項２】
前記復旧弾性ユニットは第１の端部及び前記第１の端部に対し反対側の第２の端部を有し、
前記第１の端部は前記ステープル押圧ベース及び前記トリガーレバーの１つに装着され、前記第２の端部は前記マガジンに装着されていることを特徴とする請求項１記載の可動ステープル押圧機構付きステープラー。
【請求項３】
前記復旧弾性ユニットは細長い板バネであることを特徴とする請求項２記載の可動ステープル押圧機構付きステープラー。
【請求項４】
前記第１の端部は前記復旧弾性ユニットの後端部に配置され、前記第２の端部は前記復旧弾性ユニットの前端部に配置され、前記第１の端部は前記ステープル押圧ベースに装着されていることを特徴とする請求項３記載の可動ステープル押圧機構付きステープラー。
【請求項５】
前記第１の端部は前記ステープル押圧ベースにリベット留めされることを特徴とする請求項４記載の可動ステープル押圧機構付きステープラー。
【請求項６】
前記第２の端部は前記マガジンに亘って装着され、かつ前記マガジンに当接していることを特徴とする請求項４記載の可動ステープル押圧機構付きステープラー。
【請求項７】
前記トリガー弾性ユニットは圧縮バネであることを特徴とする請求項１記載の可動ステープル押圧機構付きステープラー。
【請求項８】
前記復旧弾性ユニットは上端部及び底端部を有し、前記第１の端部及び前記第２の端部は前記復旧弾性ユニットの前記上端部及び前記底端部にそれぞれ形成され、前記第１の端部は前記トリガーレバーに装着されていることを特徴とする請求項２記載の可動ステープル押圧機構付きステープラー。
【請求項９】
前記復旧弾性ユニットは前記復旧弾性ユニットの底端部に配置され、前記マガジンに亘って装着され、かつ前記マガジンに当接するガスケットを備えていることを特徴とする請求項８記載の可動ステープル押圧機構付きステープラー。
【請求項１０】
少なくとも１つのスロットが前記ステープル押圧タブを介して形成され、前記少なくとも１つのスロットの各々は上部及び底部を有し、
少なくとも１つの突出部が前記ステープル押圧ベース上に形成され、前記少なくとも１つの突出部の各々は前記少なくとも１つのスロットの各々を通ってそれぞれ挿入され、かつ前記上部及び前記底部の間で対応するスロットに対して相対的に移動することを特徴とする請求項１乃至請求項９何れか１項記載の可動ステープル押圧機構付きステープラー。
【考案の詳細な説明】
【技術分野】
【０００１】
本考案は、ステープラー（ホッチキス）に関し、特に、可動ステープル押圧機構付きステープラーに関する。
【背景技術】
【０００２】
従来のステープラーで装丁（ホッチキス止め）するとき、ユーザはトリガーレバーを押圧し、ステープル押圧タブを下方に押圧し、ステープル（針）を押圧する。従来のステープラーのマガジン内に装填された先頭のステープルは残存するステープルから分離され、ステープル押圧タブによりマガジンのステープル開口部に向かって押圧され、ステープル開口部の外に押圧されたステープルの脚部はアンビル（クリンチャ）上で折曲される。従来のステープラーに残存しているステープルはステープル押出ユニットにより前方に押出され、ステープル開口部の外に押圧されたステープルの欠落を補充し、これで装丁プロセスが終了される。
【０００３】
従来の大型ステープラー６０の部分構造及び動作プロセスは図１０及び図１１に示されている。従来の大型ステープラー６０のマガジン６１は長い脚長のステープルに適用可能であって、マガジン６１は大きな収納スペースを有している。短い脚長を有するステープルがマガジン６１に装填されて使用される場合は、大きな間隙がステープル上に存在することになる。従来の大型ステープラー６０のステープル押圧タブ６３を下方に押圧して、先頭ステープル６９をマガジン６１のステープル開口部に向かって押圧し、分離することができる。ステープル押圧タブ６３がステープル６９の分離を終了し、上方に移動しようとするとき、ステープル６９はステープル押圧タブ６３によって引張られて、容易に上方に移動される。何故なら、大きな間隙がステープル上に存在するからである。ステープル６９はマガジン６１内で回転し、斜めになり、したがって連続的に装丁することができない。そのため、従来の大型ステープラー６０は、均一な寸法のステープル６９にのみ適用可能である。
【０００４】
ステープルホルダを有する別の従来のステープラー７０の部分構造及び動作プロセスは図１２、図１２Ａ、図１３、図１３Ａ及び図１４に示されている。ステープルホルダはステープル７９のために配置され、これらのステープル７９はステープルホルダに亘って装填される。ステープル７９の脚はステープルホルダーとマガジンとの間で確実に移動することができる。使用にあたり、間隔Ｄがステープル７９とステープル押圧ベース７２との間に未だ形成されている。ステープラー７０が使用されて少数のステープル７９を装丁するとき、ステープル７９はステープル押圧タブ７４の押圧力のため回転される。ステープル７９の脚部は回転され、従来のステープラー７０のアンビルのアンビル範囲を離れ、ステープル７９はステープル押圧タブ７４によってずれて押圧され、ステープル７９の脚部は所定形状に折曲げることができない。
【０００５】
前述のように、従来のステープラー６０、７０は異なる脚長のステープル６９、７９には適用不可能である。短い脚長を有するステープル６９が使用されるとき、ステープル６９は回転し、容易に斜めになる。何故なら、ステープル押圧タブ７４によって上方へ引張られるからであり、従来のステープラー６０は連続して装丁することができない。ステープルホルダを有する従来のステープラー７０が少数のステープルに使用され装丁するときでも、ステープル７９の脚はステープル押圧タブの押圧力のため容易に回転されアンビルのアンビル範囲を離れる。したがって、拙劣な装丁が容易にできてしまう。そこで上記課題は解決する必要がある。
【考案の概要】
【考案が解決しようとする課題】
【０００６】
従来のステープラーは異なる脚長のステープルには適用できず、拙劣な装丁が容易にできるという問題を解決するために、本考案の主目的は異なる脚長のステープルに適用することができ、かつ拙劣な装丁の発生を有効に減少させることができる可動ステープル押圧機構付きステープラーを提供することである。
【課題を解決するための手段】
【０００７】
本考案に係る可動ステープル押圧機構付きステープラーは、ベース、マガジンアセンブリ、アームアセンブリ及びステープル押圧機構を備えている。
【０００８】
マガジンアセンブリはベース上に枢着され、マガジンを備えている。アームアセンブリはベース上に枢着され、マガジンアセンブリの上方に配置され、トリガーレバーと、トリガーレバーに組み合わされるステープル押圧タブとを備えている。ステープル押圧機構はマガジンアセンブリとアームアセンブリとの間に装着され、ステープル押圧ベース、トリガー弾性ユニットと、復旧弾性ユニットとを備えている。ステープル押圧ベースはベースに枢着され、マガジン内に配置されている。トリガー弾性ユニットはトリガーレバーとステープル押圧ベースとの間に装着されている。復旧弾性ユニットはアームアセンブリと、マガジンアセンブリとの間に装着され、ステープル押圧ベースのための復旧弾性力を提供する。
【０００９】
以上の説明から、本考案の可動ステープル押圧機構付きステープラーが使用中であるとき、ステープル押圧はトリガー弾性ユニットにより下方に押圧し、マガジン内に装填されるステープルを押圧することができる。ユーザが装丁を終了し、トリガーレバーを離すとき、ステープル押圧ベースはステープルを押圧する状態に維持され、ステープルと、ステープル押圧ベースとの間には空間が何ら形成することができず、そのためステープルは回転することはない。したがって、ステープルは、ステープル押圧タブによって上方に駆動されて回転することはない。また、アームアセンブリが上方に枢動され元の位置に復帰する場合に、ステープル押圧ベースは復旧弾性ユニットの復旧弾性力により駆動され元の位置に復帰し、それによって本考案の可動ステープル押圧機構付きステープラーを元の状態に復旧する。したがって、本考案の可動ステープル押圧機構付きステープラーは、ステープルを押圧するステープル押圧ベースにより、従来のステープラーの拙劣な装丁の発生を軽減することができる。さらに、本考案の可動ステープル押圧機構付きステープラーは、異なる脚長のステープルに適用することができ、そのため本考案のステープラーはより広範な操作性を有している。
【００１０】
本考案に係る他の目的、利点及び新規な特徴は、以下の詳細な説明から図面を併せて参照すれば一層明らかとなる。
【図面の簡単な説明】
【００１１】
【図１】図１は、本考案に係る可動ステープル押圧機構付きステープラーの第１の実施例の斜視図である。
【図２】図２は、図１におけるステープラーの断面斜視図である。
【図３】図３は、図２におけるステープラーの部分拡大斜視図である。
【図４】図４は、図１におけるステープラーの部分断面側面図である。
【図５】図５は、図１におけるステープラーの動作プロセスである。
【図６】図６は、本考案に係る可動ステープル押圧機構付きステープラーの第２の実施例の斜視図である。
【図７】図７は、図６におけるステープラーの部分拡大斜視図である。
【図８】図８は、図６におけるステープラーの部分断面側面図である。
【図９】図９は、図８におけるステープラーの動作プロセスである。
【図１０】図１０は、従来技術にしたがう大型ステープラーの動作プロセスである。
【図１１】図１１は、従来技術にしたがう大型ステープラーの動作プロセスである。
【図１２】図１２は、従来技術にしたがうステープルホルダ付き別のステープラーの動作プロセスである。
【図１２Ａ】図１２Ａは、従来技術にしたがうステープルホルダ付き別のステープラーの動作プロセスである。
【図１３】図１３は、従来技術にしたがうステープルホルダ付き別のステープラーの動作プロセスである。
【図１３Ａ】図１３Ａは、従来技術にしたがうステープルホルダ付き別のステープラーの動作プロセスである。
【図１４】図１４は、従来技術にしたがうステープルホルダ付き別のステープラーの動作プロセスである。
【考案を実施するための形態】
【００１２】
以下、本考案にしたがう可動ステープル押圧機構付きステープラーをその好ましい実施例について図面を参照して詳述する。
【００１３】
図１〜図４を参照するに、本考案にしたがう可動ステープル押圧機構付きステープラーの第１の実施例は、ベース１０、マガジンアセンブリ２０、アームアセンブリ３０及びステープル押圧機構４０を備えている。ベース１０は、そのベース１０の前端部に配置されるアンビル構造体１１を備えている。ピボットユニット１２は、マガジンアセンブリ２０の後端部及びベース１０の後端部に装着され、このためマガジンアセンブリ２０はピボットユニット１２によってベース１０に枢着されている。マガジンアセンブリ２０はマガジン２１を備えている。ステープル開口部２２がマガジン２１の前端部の底部に形成され、ステープル開口部２２の位置はアンビル構造体１１の位置に対応している。
【００１４】
アームアセンブリ３０はマガジンアセンブリ２０の上方に配置され、アームアセンブリ３０の後端部はピボットユニット１２によってベース１０の後端部に軸支されている。アームアセンブリ３０はトリガーレバー３１を備え、トリガーレバー３１はこのトリガーレバー３１の後端部によってベース１０に枢着されている。また、アームアセンブリ３０はトリガーレバー３１の前端部に組み合わされるステープル押圧タブ３２を備え、ステープル押圧タブ３２の位置はステープル開口部２２及びアンビル構造体１１の位置に対応している。ステープル押圧タブ３２はマガジン２１内に装填されたステープルの１つをステープル開口部２２から抜け出てアンビル構造体１１に向かって下方に押圧するように作動される。さらに、アームアセンブリ３０は補助レバー３３を備えている。補助レバー３３の後端部はベース１０に枢着され、トリガーレバー３１の上方に配置されている。
【００１５】
補助レバー３３はプラスチック又は金属製のトップカバーと組み合わせることができ、ユーザを支援してステープラーを押圧するものである。使用にあたり、ユーザはアームアセンブリ３０を下方に押圧するので、補助レバー３３はベース１０に対して枢動され、下方に移動し、トリガーレバー３１を駆動し下方に枢動して、省力効果を達成する。ベース１０、マガジンアセンブリ２０及びアームアセンブリ３０は従来のものであってもよく、ベース１０、マガジンアセンブリ２０及びアームアセンブリ３０の構造は本考案において考究されていない。
【００１６】
ステープル押圧機構４０はマガジンアセンブリ２０とアームアセンブリ３０との間に装着され、ステープル押圧ベース４１、トリガー弾性ユニット４２及び復旧弾性ユニット４３を備えている。ステープル押圧ベース４１はベース１０上に枢着され、マガジン２１内に配置されている。ステープル押圧ベース４１の後端部はベース１０のピボットユニット１２に枢着され、かつマガジン２１に対して枢着することができる。さらに、図３を参照するに、細長いスロット３２１がステープル押圧タブ３２上の中間位置を通って形成されている。スロット３２１は、上部３２２、底部３２３及びスロット３２１のそれぞれ左、右側の２つの側部３２４を有している。突出部４１１がステープル押圧ベース４１の前端部に形成され、かつステープル押圧ベース４１の前端部から突出し、スロット３２１を通って挿入され、スロット３２１の上部３２２と底部３２３との間で相対的に移動する。スロット３２１はマガジンアセンブリ２０に対してトリガーレバー３１の枢動を制限するよう作動する。
【００１７】
スロット３２１及び突出部４１１の必要量は本考案において限定されることはない。ステープル押圧タブ３２はステープル押圧タブ３２の両側部にそれぞれ形成される２つのスロットを備えることができる。ステープル押圧ベース４１は、ステープル押圧ベース４１の前端部の両側部にそれぞれ形成され、ステープル押圧タブ３２の複数のスロットを通ってそれぞれ挿入される２つの突出部を備えることができる。
【００１８】
トリガーレバー３１は底面を備え、ステープル押圧ベース４１は上面を備えている。トリガー弾性ユニット４２はトリガーレバー３１の底面とステープル押圧ベース４１の上面との間に装着されている。トリガー弾性ユニット４２は圧縮ばね又は板ばねで構成することができる。好ましくは、トリガー弾性ユニット４２は圧縮バネである。補助レバー３３及びトリガーレバー３１がユーザによって下向きに強制されて枢動され、下方に移動されるとき、トリガー弾性ユニット４２は圧縮されてステープル押圧ベース４１を駆動して下方に枢動させる。
【００１９】
復旧弾性ユニット４３はアームアセンブリ３０と、マガジンアセンブリ２０との間に装着されてステープル押圧ベース４１のための復旧弾性力を提供する。復旧弾性ユニット４３は第１の端部４３１と、第１の端部４３１に関して反対側の第２の端部４３２とを有する。第１の端部４３１はステープル押圧ベース４１及びトリガーレバー３１の１つに装着される。第２の端部４３２はマガジン２１に装着される。トリガーレバー３１及びステープル押圧ベース４１が下方に枢動されるとき、復旧弾性ユニット４３の第１の端部４３１はステープル押圧ベース４１及びトリガーレバー３１の１つと共に移動する。トリガーレバー３１がユーザから離されるとき、復旧弾性ユニット４３は第２の端部４３２を介して復旧弾性力を付与する。
【００２０】
図２を参照するに、第１の実施例において、復旧弾性ユニット４３は細長い板バネである。第１の端部４３１は復旧弾性ユニット４３の後端部に配置され、第２の端部４３２は復旧弾性ユニット４３の前端部に配置されている。第１の端部４３１はステープル押圧ベース４１に装着されている。好ましくは、第１の端部４３１はステープル押圧ベース４１にリベット留めされ、第２の端部４３２はマガジン２１に亘って装着され、かつマガジン２１上に当接している。
【００２１】
第１の実施例の動作状態は、図２〜図５に示されている。装丁前には、復旧弾性ユニット４３はステープル押圧ベース４１と同一平面であり、ステープル押圧ベース４１をマガジン２１と平行にしている。装丁中には、アームアセンブリ３０は、ユーザによって下方に押圧されるので、ベース１０に対して枢動され、かつ下方に移動する。ステープル押圧ベース４１はマガジン２１に対して枢動することができるので、トリガーレバー３１はトリガー弾性ユニット４２を圧縮し、ステープル押圧ベース４１をマガジン２１に対して下方に枢動するように駆動し、マガジン２１に装填されているステープルを押圧する。同時に、復旧弾性ユニット４３の第１の端部４３１はステープル押圧ベース４１と共に下方に移動し、第２の端部４３２はマガジン２１上で制限され、かつ移動が制限され、その結果復旧弾性ユニット４３は復旧弾性力を保存することができる。そして、ユーザがさらにアームアセンブリ３０に加力すればアームアセンブリ３０及びマガジンアセンブリ２０がベース１０のアンビル構造体１１に向かって瞬時に落ち込み、そのためマガジン２１に装填されたステープルの１つはステープル押圧タブ３２によってマガジン２１から押出され、アンビル構造体１１によって所定形状に折曲げられる。
【００２２】
装丁後には、アームアセンブリ３０はユーザから離され、アームアセンブリ３０は上方に枢動され元の位置に復帰する。また、ステープル押圧ベース４１は駆動されて上方に枢動され、復旧弾性ユニット４３の第１の端部４３１によって元の位置に復帰する。ステープル押圧タブ３２が上方に移動するとき、マガジン２１内に装填された複数のステープルはステープル押圧ベース４１によって押圧されたままに維持され、それでマガジン２１内に装填された複数のステープルはステープル押圧タブ３２によって駆動され回転することはない。短い脚長を有するステープルがマガジン２１内に装填されていても、ステープルはまたステープル押圧ベース４１によって確実に押圧することができる。したがって、本考案の移動ステープル押圧機構付きステープラーは異なる脚長のステープルに適用することができる。また、マガジン２１内に装填されたステープルは回転されることがなく、そのためステープルは連続的に装丁することができ、従来のステープラーの拙劣な装丁の発生を軽減する。
【００２３】
本考案に係る移動ステープル押圧機構付きステープラーの第２の実施例は図６〜図８に示されている。第２の実施例はそのステープル押圧機構４０Ａの構造に因って第１の実施例とは相違している。ステープル押圧機構４０Ａの復旧弾性ユニット４３Ａは圧縮ばねであり、上端部及び底端部を有している。第１の端部４３１Ａは復旧弾性ユニット４３Ａの上端部に形成され、かつトリガーレバー３１に接続されている。第２の端部４３２Ａは復旧弾性ユニット４３Ａの底端部に形成され、マガジン２１上に装着されている。復旧弾性ユニット４３Ａはマガジン２１とトリガーレバー３１との間に弾性的に接続されてステープル押圧ベース４１のためのステープル復旧弾性力を提供する。
【００２４】
さらに図７を参照するに、ステープル押圧ベース４１の前端部上の突出部４１１はステープル押圧タブ３２のスロット３２１を通って挿入され、スロット３２１の上部３２２と底部３２３との間で相対的に移動する。マガジン２１に対するトリガーレバー３１の枢動はステープル押圧タブ３２のスロット３２１によって制限される。復旧弾性ユニット４３Ａがトリガーレバー３１のための復旧弾性力を提供し、トリガーレバー３１を駆動して上方に移動するとき、トリガーレバー３１はステープル押圧タブ３２のスロット３２１の底部３２３によって突出部４１１を上方に引張って、ステープル押圧ベース４１は上方に移動して元の位置に復帰する。好ましくは、さらに復旧弾性ユニット４３Ａは復旧弾性体４３Ａの底端部上に配置され、マガジン２１に亘って装着され、マガジン２１上に当接するガスケット４３５を備えている。したがって、復旧弾性ユニット４３Ａはガスケット４３５によってマガジン２１に確実に当接することができ、復旧弾性ユニット４３Ａが圧縮されるとき復旧弾性ユニット４３Ａはステープル押圧ベース４１のための安定し確実な復旧弾性力を提供することができる。
【００２５】
図８を参照するに、装丁前には、トリガーレバー３１はトリガー弾性ユニット４２の弾性力によって上方に押出される。ステープル押圧タブ３２はスロット３２１の底部３２３によって突出部４１１を押出し、ステープル押圧ベース４１を上方に引張り、このためステープル押圧ベース４１はマガジン２１と同一平面になり、マガジン２１に装填されたステープルに接触することはない。さらに図９を参照するに、装丁中には、アームアセンブリ３０は、ユーザがアームアセンブリ３０上で下方に押圧するため、ベース１０に対して枢動され、下方に移動される。
【００２６】
トリガーレバー３１が下方に押圧されるとき、トリガー弾性ユニット４２は圧縮され、ステープル押圧ベース４１をマガジン２１に対して下方に枢動するように駆動し、マガジン２１に装填されたステープルを押圧する。同時に、復旧弾性ユニット４３Ａの第２の端部４３２Ａはマガジン２１上で制限され、かつ移動が制限され、第１の端部４３１Ａは圧縮され復旧弾性力を保存する。そして、さらにユーザはアームアセンブリ３０を押圧し装丁する。装丁後には、アームアセンブリ３０はユーザから離され、復旧弾性ユニット４３Ａはトリガーレバー３１のための復旧弾性力を提供し、トリガーレバー３１を上方に枢動されるように駆動する。
【００２７】
トリガーレバー３１が上方に枢動されるとき、ステープル押圧タブ３２のスロット３２１の底部３２３はステープル押圧ベース４１の突出部４１１を上方に引張り、ステープル押圧ベース４１を上方に移動するように駆動し、ステープル押圧ベース４１は図８に示すように上方へ枢動して元の位置に復帰することができる。装丁中には、マガジン２１に装填されたステープルはステープル押圧ベース４１によって押圧されたままに維持され、このためマガジン２１に装填されたステープルはステープル押圧タブ３２の上方への移動によって回転駆動されることはない。また、短い脚長を有するステープルがマガジン２１に装填される場合でも、ステープルはステープル押圧ベース４１によって確実に押圧することができる。したがって、本考案にしたがう可動ステープル押圧機構付きステープラーは異なる脚長のステープルに適用することができる。また、マガジン２１に装填されたステープルは回転されることがなく、それでステープルは連続的に装丁することができ拙劣な装丁の発生を軽減する。
【００２８】
したがって、本考案の可動ステープル押圧機構付きステープラーが使用中のとき、ステープル押圧ベース４１はトリガー弾性ユニット４２によって下方に押圧することができ、ステープラーを下方に押圧する。ステープル押圧タブ３２は先頭のステープルをマガジン２１のステープル開口部２２の外に押圧することができ、装丁を終了する。そして、アームアセンブリ３０はユーザから放たれ、ステープル押圧タブ３２はトリガーレバー３１と共にマガジン２１から離反する。同時に、ステープル押圧ベース４１はマガジン２１に装填されたステープルを押圧する状態に維持され、それでステープルと、ステープル押圧ベース４１との間にはスペースが何ら形成されることはなく、ステープルは回転されることがない。したがって、ステープル押圧タブ３２が上方に移動するとき、ステープルは回転するように駆動されることはない。復旧弾性ユニット４３、４３Ａはアームアセンブリ３０とマガジンアセンブリ２０との間に装着されてステープル押圧ベース４１のための復旧弾性力を提供し、そのためステープル押圧ベース４１は上方へ移動できて元の位置に復帰する。したがって、本考案の可動ステープル押圧機構付きステープラーはステープル押圧機構４０、４０Ａを使用することができて装丁作業中にステープルを押圧し、従来のステープラーの拙劣な装丁の発生を軽減する。本考案のステープラーは異なる脚長のステープルに適用することができ、このため本考案の可動ステープル押圧機構付きステープラーは通常の寸法の携帯型ステープラーとして使用することができ又は長い脚長のステープルや７０、１００枚又は大量の紙の多数シート用ステープルに適用可能な大型ステープラーとして使用することができる。
【００２９】
本考案の幾つかの特徴及び利点は本考案の構造及び機能の詳細とともに前述の説明に記載されているが、その開示は例示のみであり、その変更は、特に部品の形状、寸法及び配置の事項において詳細に行うことができ、添付の実用新案登録請求の範囲で表現される用語の広い一般的な意味によって示される全範囲に亘る本考案の原理内で実行できる。
【符号の説明】
【００３０】
１０・・・ベース
１１・・・アンビル構造体
１２・・・ピボットユニット
２０・・・マガジンアセンブリ
２１・・・マガジン
２２・・・ステープル開口部
３０・・・アームアセンブリ
３１・・・トリガーレバー
３２・・・ステープル押圧タブ
３３・・・補助レバー
３２１・・・スロット
３２２・・・上部
３２３・・・底部
３２４・・・側部
４０、４０Ａ・・・ステープル押圧機構
４１・・・ステープル押圧ベース
４２・・・トリガー弾性ユニット
４３、４３Ａ・・・復旧弾性ユニット
４１１・・・突出部
４３１、４３１Ａ・・・第１の端部
４３２、４３２Ａ・・・第２の端部
【図１】
0003207060.tif 000003
【図２】
0003207060.tif 000004
【図３】
0003207060.tif 000005
【図４】
0003207060.tif 000006
【図５】
0003207060.tif 000007
【図６】
0003207060.tif 000008
【図７】
0003207060.tif 000009
【図８】
0003207060.tif 000010
【図９】
0003207060.tif 000011
【図１０】
0003207060.tif 000012
【図１１】
0003207060.tif 000013
【図１２】
0003207060.tif 000014
【図１２Ａ】
0003207060.tif 000015
【図１３】
0003207060.tif 000016
【図１３Ａ】
0003207060.tif 000017
【図１４】
0003207060.tif 000018